(57)【要約】【課題】  光ケーブルの敷設の際に余分な配線工事を不要にし、また、建物の美観を損なうことなく光ケーブルの敷設を可能にする、ケーブル敷設用固定具、ケーブル敷設用雨どい、ケーブル敷設用雨どい取り付け具、およびケーブル敷設方法を提供する。【解決手段】  ケーブルを保持する保持部３１Ａと軒どい１１に保持部３１Ａを設ける台部３１Ｂとを備え、保持部３１Ａは断面形状が略Ｃ字状であり、保持部３１Ａの略Ｃ字状の縁に台部３１Ｂが設けられている。台部３１Ｂは板状であり、保持部３１Ａの略Ｃ字状の縁に台部３１Ｂが設けられ、台部３１Ｂと、この台部３１Ｂと向かい合う保持部３１Ａの縁近傍とに、貫通孔３１Ｃがそれぞれ１つ以上設けられている。【選択図】  図３
2006320117.tif 000002
【特許請求の範囲】
【請求項１】
ケーブルを保持する保持部と、
雨どいまたは雨どい取り付け具に前記保持部を設ける台部と、
を備えることを特徴とするケーブル敷設用固定具。
【請求項２】
前記保持部は断面形状が略Ｃ字状であり、前記保持部の略Ｃ字状の縁または外周面に前記台部が設けられていることを特徴とする請求項１に記載のケーブル敷設用固定具。
【請求項３】
前記台部は板状であり、前記保持部の略Ｃ字状の縁または縁近傍の外周面に前記台部が設けられ、
前記台部と、この台部と向かい合う前記保持部の縁近傍とに、貫通孔がそれぞれ１つ以上設けられている、
ことを特徴とする請求項２に記載のケーブル敷設用固定具。
【請求項４】
雨どいを備えるケーブル敷設用雨どいであって、
請求項１〜３のいずれか１つに記載のケーブル敷設用固定具が前記雨どいの長手方向に、かつ、このケーブル敷設用固定具の台部を介して、１つ以上前記雨どいに設けられている、
ことを特徴とするケーブル敷設用雨どい。
【請求項５】
前記雨どいは、湾曲した溝が形成されている軒どいであり、
前記ケーブル敷設用固定具は、前記軒どいの縁または外周面に設けられている、
ことを特徴とする請求項４に記載のケーブル敷設用雨どい。
【請求項６】
前記雨どいは管状の竪どいであり、
前記ケーブル敷設用固定具は、前記竪どいの外周面に設けられている、
ことを特徴とする請求項４に記載のケーブル敷設用雨どい。
【請求項７】
雨どいを建物に取り付ける雨どい取り付け具を備えるケーブル敷設用雨どい取り付け具であって、
請求項１〜３のいずれか１つに記載のケーブル敷設用固定具が、このケーブル敷設用固定具の台部を介して前記雨どい取り付け具に設けられている、
ことを特徴とするケーブル敷設用雨どい取り付け具。
【請求項８】
前記雨どい取り付け具は、軒どいを屋根に取り付ける受け具である、
ことを特徴とする請求項７に記載のケーブル敷設用雨どい取り付け具。
【請求項９】
前記雨どい取り付け具は、竪どいを建物の外壁に取り付けるつかみ具である、
ことを特徴とする請求項７に記載のケーブル敷設用雨どい取り付け具。
【請求項１０】
請求項１または２に記載のケーブル敷設用固定具を用いたケーブル敷設方法であって、
前記ケーブル敷設用固定具の台部を介して、前記ケーブル敷設用固定具を雨どいまたは雨どい取り付け具に１つ以上設け、
前記ケーブル敷設用固定具の保持部によりケーブルを保持して、ケーブルを敷設する、
ことを特徴とするケーブル敷設方法。
【請求項１１】
請求項３に記載のケーブル敷設用固定具を用いたケーブル敷設方法であって、
前記ケーブル敷設用固定具の台部を介して、前記ケーブル敷設用固定具を雨どいまたは雨どい取り付け具に１つ以上設け、
前記ケーブル敷設用固定具の保持部の略Ｃ字状により形成される開口部分からケーブルを入れてケーブルを保持し、ケーブルを敷設する、
ことを特徴とするケーブル敷設方法。
【請求項１２】
請求項３に記載のケーブル敷設用固定具を用いたケーブル敷設方法であって、
前記ケーブル敷設用固定具の台部を介して、前記ケーブル敷設用固定具を雨どいまたは雨どい取り付け具に１つ以上設け、
前記ケーブル敷設用固定具の保持部によりケーブルを保持して、ケーブルを敷設し、
前記ケーブル敷設用固定具の貫通孔に線材を通して前記ケーブルを固定する、
ことを特徴とするケーブル敷設方法。
【請求項１３】
請求項１または２に記載のケーブル敷設用固定具を用いた請求項４に記載のケーブル敷設用雨どいによるケーブル敷設方法であって、
前記雨どいに設けられたケーブル敷設用固定具の保持部によりケーブルを保持して、ケーブルを敷設する、
ことを特徴とするケーブル敷設方法。
【請求項１４】
請求項３に記載のケーブル敷設用固定具を用いた請求項４に記載のケーブル敷設用雨どいによるケーブル敷設方法であって、
前記雨どいに設けられたケーブル敷設用固定具の保持部によりケーブルを保持して、ケーブルを敷設し、
前記ケーブル敷設用固定具の貫通孔に線材を通して前記ケーブルを固定する、
ことを特徴とするケーブル敷設方法。
【請求項１５】
請求項１または２に記載のケーブル敷設用固定具を用いた請求項７に記載のケーブル敷設用雨どい取り付け具によるケーブル敷設方法であって、
前記雨どい取り付け具に設けられたケーブル敷設用固定具の保持部によりケーブルを保持して、ケーブルを敷設する、
ことを特徴とするケーブル敷設方法。
【請求項１６】
請求項３に記載のケーブル敷設用固定具を用いた請求項７に記載のケーブル敷設用雨どい取り付け具によるケーブル敷設方法であって、
前記雨どい取り付け具に設けられたケーブル敷設用固定具の保持部によりケーブルを保持して、ケーブルを敷設し、
前記ケーブル敷設用固定具の貫通孔に線材を通して前記ケーブルを固定する、
ことを特徴とするケーブル敷設方法。
【発明の詳細な説明】
【技術分野】
【０００１】
この発明は、ケーブルを建物に敷設するケーブル敷設用固定具、ケーブル敷設用雨どい、ケーブル敷設用雨どい取り付け具、およびケーブル敷設方法に関する。
【背景技術】
【０００２】
ケーブルには光ケーブルがあり、この光ケーブルは、ＦＴＴＨ（Ｆｉｂｅｒ  Ｔｏ  Ｔｈｅ  Ｈｏｍｅ）工事で家庭内に引き込まれる。光ケーブルを建物に敷設するためには各種の方式があるが（特許文献１を参照）、図１１に示すような方式が一般的である。つまり、電柱１００に架設されている光ケーブル幹線１１０から光ケーブル１１１を分岐部１２０で分岐し、建物２００の引き留め部３０１により、適度な張力を光ケーブル１１１に与えて光ケーブル１１１を引き留める。引き留め部３０１としては、引き留め金具など各種のものが用いられる。この後、光ケーブル１１１は、引き込み部３０２まで敷設され、引き込み部３０２から建物２００の内部に引き込まれる。
【特許文献１】特開２００２−２８１６２８号公報
【発明の開示】
【発明が解決しようとする課題】
【０００３】
ところで、光ケーブルの従来の敷設方法には次の課題がある。つまり、引き留め部３０１で光ケーブル１１１を引き留めた後、引き留め部３０１から引き込み部３０２まで離れている場合、光ケーブル１１１を建物２００の外壁に配線して引き込み部３０２まで延長する必要がある。このとき、光ケーブル１１１を固定する固定具３０３を外壁に離して設けるが、固定具３０３がネジ等によって外壁に取り付けられる。この結果、固定具３０３の取り付けなどの、建物２００に対する配線工事が必要となり、また、外壁に配線した光ケーブル１１１や、配線に用いた固定具３０３により、建物２００の美観も損なう。
【０００４】
この発明は、前記の課題を解決し、光ケーブルの敷設の際に余分な配線工事を不要にし、また、建物の美観を損なうことなく光ケーブルの敷設を可能にする、ケーブル敷設用固定具、ケーブル敷設用雨どい、ケーブル敷設用雨どい取り付け具、およびケーブル敷設方法を提供することにある。
【課題を解決するための手段】
【０００５】
前記課題を解決するために、請求項１の発明は、ケーブルを保持する保持部と、雨どいまたは雨どい取り付け具に前記保持部を設ける台部とを備えることを特徴とするケーブル敷設用固定具である。
【０００６】
請求項１の発明によれば、雨どいまたは雨どい取り付け具に対して、台部を介してケーブル敷設用固定具を取り付ければ、このケーブル敷設用固定具でケーブルを保持する。つまり、雨どいまたは雨どい取り付け具を用いて、ケーブルを敷設する。
【０００７】
請求項２の発明は、請求項１に記載のケーブル敷設用固定具において、前記保持部は断面形状が略Ｃ字状であり、前記保持部の略Ｃ字状の縁または外周面に前記台部が設けられていることを特徴とする。
【０００８】
請求項２の発明によれば、保持部の断面形状が略Ｃ字状であるので、この略Ｃ字状により形成される開口部分を用いて、ケーブルを出し入れする。
【０００９】
請求項３の発明は、請求項２に記載のケーブル敷設用固定具において、前記台部は板状であり、前記保持部の略Ｃ字状の縁または縁近傍の外周面に前記台部が設けられ、前記台部と、この台部と向かい合う前記保持部の縁近傍とに、貫通孔がそれぞれ１つ以上設けられていることを特徴とする。
【００１０】
請求項３の発明によれば、保持部に保持されたケーブルは、貫通孔に線材を通すことにより固定される。
【００１１】
請求項４の発明は、雨どいを備えるケーブル敷設用雨どいであって、請求項１〜３のいずれか１つに記載のケーブル敷設用固定具が前記雨どいの長手方向に、かつ、このケーブル敷設用固定具の台部を介して、１つ以上前記雨どいに設けられていることを特徴とするケーブル敷設用雨どいである。
【００１２】
請求項４の発明によれば、雨どいに設けられたケーブル敷設用固定具を用いると、雨どいに沿ってケーブルが敷設される。
【００１３】
請求項５の発明は、請求項４に記載のケーブル敷設用雨どいにおいて、前記雨どいは、湾曲した溝が形成されている軒どいであり、前記ケーブル敷設用固定具は、前記軒どいの縁または外周面に設けられていることを特徴とする。
【００１４】
請求項５の発明によれば、雨どいとして軒どいが利用される。つまり、軒どいに設けられたケーブル敷設用固定具を用いると、軒どいに沿ってケーブルが敷設される。
【００１５】
請求項６の発明は、請求項４に記載のケーブル敷設用雨どいにおいて、前記雨どいは管状の竪どいであり、前記ケーブル敷設用固定具は、前記竪どいの外周面に設けられていることを特徴とする。
【００１６】
請求項６の発明によれば、雨どいとして竪どいが利用される。つまり、竪どいに設けられたケーブル敷設用固定具を用いると、竪どいに沿ってケーブルが敷設される。
【００１７】
請求項７の発明は、雨どいを建物に取り付ける雨どい取り付け具を備えるケーブル敷設用雨どい取り付け具であって、請求項１〜３のいずれか１つに記載のケーブル敷設用固定具が、このケーブル敷設用固定具の台部を介して前記雨どい取り付け具に設けられていることを特徴とするケーブル敷設用雨どい取り付け具である。
【００１８】
請求項７の発明によれば、雨どい取り付け具に設けられたケーブル敷設用固定具を用いると、雨どい取り付け具に沿ってケーブルが敷設される。
【００１９】
請求項８の発明は、請求項７に記載のケーブル敷設用雨どい取り付け具において、前記雨どい取り付け具は、軒どいを屋根に取り付ける受け具であることを特徴とする。
【００２０】
請求項８の発明によれば、雨どい取り付け具として軒どい用の受け具が利用される。つまり、受け具に設けられたケーブル敷設用固定具を用いると、受け具に沿ってケーブルが敷設される。
【００２１】
請求項９の発明は、請求項７に記載のケーブル敷設用雨どい取り付け具において、前記雨どい取り付け具は、竪どいを建物の外壁に取り付けるつかみ具であることを特徴とする。
【００２２】
請求項９の発明によれば、雨どい取り付け具として竪どい用のつかみ具が利用される。つまり、つかみ具に設けられたケーブル敷設用固定具を用いると、つかみ具に沿ってケーブルが敷設される。
【００２３】
請求項１０の発明は、請求項１または２に記載のケーブル敷設用固定具を用いたケーブル敷設方法であって、前記ケーブル敷設用固定具の台部を介して、前記ケーブル敷設用固定具を雨どいまたは雨どい取り付け具に１つ以上設け、前記ケーブル敷設用固定具の保持部によりケーブルを保持して、ケーブルを敷設することを特徴とするケーブル敷設方法である。
【００２４】
請求項１１の発明は、請求項３に記載のケーブル敷設用固定具を用いたケーブル敷設方法であって、前記ケーブル敷設用固定具の台部を介して、前記ケーブル敷設用固定具を雨どいまたは雨どい取り付け具に１つ以上設け、前記ケーブル敷設用固定具の保持部の略Ｃ字状により形成される開口部分からケーブルを入れてケーブルを保持し、ケーブルを敷設することを特徴とするケーブル敷設方法である。
【００２５】
請求項１２の発明は、請求項３に記載のケーブル敷設用固定具を用いたケーブル敷設方法であって、前記ケーブル敷設用固定具の台部を介して、前記ケーブル敷設用固定具を雨どいまたは雨どい取り付け具に１つ以上設け、前記ケーブル敷設用固定具の保持部によりケーブルを保持して、ケーブルを敷設し、前記ケーブル敷設用固定具の貫通孔に線材を通して前記ケーブルを固定することを特徴とするケーブル敷設方法である。
【００２６】
請求項１３の発明は、請求項１または２に記載のケーブル敷設用固定具を用いた請求項４に記載のケーブル敷設用雨どいによるケーブル敷設方法であって、前記雨どいに設けられたケーブル敷設用固定具の保持部によりケーブルを保持して、ケーブルを敷設することを特徴とするケーブル敷設方法である。
【００２７】
請求項１４の発明は、請求項３に記載のケーブル敷設用固定具を用いた請求項４に記載のケーブル敷設用雨どいによるケーブル敷設方法であって、前記雨どいに設けられたケーブル敷設用固定具の保持部によりケーブルを保持して、ケーブルを敷設し、前記ケーブル敷設用固定具の貫通孔に線材を通して前記ケーブルを固定することを特徴とするケーブル敷設方法である。
【００２８】
請求項１５の発明は、請求項１または２に記載のケーブル敷設用固定具を用いた請求項７に記載のケーブル敷設用雨どい取り付け具によるケーブル敷設方法であって、前記雨どい取り付け具に設けられたケーブル敷設用固定具の保持部によりケーブルを保持して、ケーブルを敷設することを特徴とするケーブル敷設方法である。
【００２９】
請求項１６の発明は、請求項３に記載のケーブル敷設用固定具を用いた請求項７に記載のケーブル敷設用雨どい取り付け具によるケーブル敷設方法であって、前記雨どい取り付け具に設けられたケーブル敷設用固定具の保持部によりケーブルを保持して、ケーブルを敷設し、前記ケーブル敷設用固定具の貫通孔に線材を通して前記ケーブルを固定することを特徴とするケーブル敷設方法である。
【発明の効果】
【００３０】
請求項１および請求項１０の発明によれば、ケーブル敷設用固定具を雨どいまたは雨どい取り付け具に設けることにより、雨どいまたは雨どい取り付け具を用いてケーブルを敷設することができる。これにより、ケーブルを敷設する際に余分な配線工事を不要にすることができ、建物の美観が損なわれることを防ぐことができる。また、ケーブル敷設用固定具を雨どいや雨どい取り付け具と別体にすれば、既存の雨どいや雨どい取り付け具を利用可能にし、さらに、建物に既に設置されている雨どいや雨どい取り付け具も利用可能にすることができる。
【００３１】
請求項２および請求項１１の発明によれば、略Ｃ字状の保持部により形成される開口部分からケーブルを出し入れするので、ケーブルを保持する作業を簡単にすることができる。また、雨どいや雨どい取り付け具が破損した場合でも、開口部分からケーブルの出し入れができるので、ケーブルを切断することなく、破損部分を簡単に交換することができる。
【００３２】
請求項３および請求項１２の発明によれば、ケーブル敷設用固定具の貫通孔に線材を通して、ケーブル敷設用固定具の保持部で保持したケーブルを固定することができる。
【００３３】
請求項４〜６および請求項１３の発明によれば、軒どいや竪どいのような雨どいがケーブル敷設用固定具を持つので、雨どいを用いてケーブルを敷設することができる。これにより、ケーブルを敷設する際に余分な配線工事を不要にすることができ、また、建物の美観が損なわれることを防ぐことができる。
【００３４】
請求項１４の発明により、雨どいに設けられているケーブル敷設用固定具の貫通孔に線材を通して、ケーブル敷設用固定具の保持部で保持したケーブルを固定することができる。
【００３５】
請求項７〜９および請求項１５の発明により、軒どい用の受け具や、竪どい用のつかみ具のような雨どい取り付け具がケーブル敷設用固定具を持つので、雨どい取り付け具を用いてケーブルを敷設することができる。これにより、ケーブルの敷設の際に余分な配線工事を不要にし、また、建物の美観が損なわれることを防ぐことができる。
【００３６】
請求項１６の発明により、雨どい取り付け具に設けられているケーブル敷設用固定具の貫通孔に線材を通して、ケーブル敷設用固定具の保持部で保持したケーブルを固定することができる。
【発明を実施するための最良の形態】
【００３７】
つぎに、この発明について図面を用いて詳しく説明する。
（実施の形態１）
この実施の形態では、図１に示すように、建物２００に設置されているケーブル敷設用雨どいを用いて、引き留め部３０１で引き留められた光ケーブル１１１を、建物２００の引き込み部３０２まで敷設する。ケーブル敷設用雨どいは、軒どい１１、１４と、集水器１２、１５と、竪どい１３、１６と、後述するケーブル敷設用固定具とを備えている。また、ケーブル敷設用雨どいは、雨どい取り付け具によって建物２００に取り付けられている。この雨どい取り付け具には、軒どい１１、１４を受けて固定する受け具２１と、竪どい１３、１６をつかんで固定するつかみ具２２とがある。軒どい１１は、建物２００の屋根２０1に降った雨などを受けるものであり、図２に示すように、長手方向に対して交差する方向に湾曲している。これにより、屋根２０１からの雨水などを受ける溝１１Ａが形成されている。
【００３８】
軒どい１１には、ケーブル敷設用固定具（以下、単に固定具という）３１が設けられている。固定具３１は、図３と図４とに示すように、保持部３１Ａと台部３１Ｂとで形成されている。保持部３１Ａは、長手方向に交差する断面形状がＣ字状に湾曲し、Ｃ字状の開口部分３１Ａ1が、光ケーブル１１１を出し入れする部分である。保持部３１ＡのＣ字状の一方の縁は、板状の台部３１Ｂによって支えられ、かつ、台部３１Ｂを介して軒どい１１に設けられている。このとき、台部３１Ｂは軒どい１１の縁に設けられている。台部３１Ｂには貫通孔３１Ｃが開けられ、かつ、台部３１Ｂと向かい合う保持部３１Ａの縁近傍にも貫通孔３１Ｃが開けられている。貫通孔３１Ｃは、保持部３１Ａを通った光ケーブル１１１を固定するために、固定用の線材を通すためのものであり、固定用の線材としては、針金など各種のものがある。
【００３９】
こうした固定具３１は、軒どい１１に離されて複数設けられている。また、軒どい１１と固定具３１とは、合成樹脂の成型によって一体で作られている。
【００４０】
固定具３１が設けられている軒どい１１は、受け具２１によって受けられて、屋根２０１の軒先に固定されている。先の図４に示すように、受け具２１は、受け部２１Ａと首部２１Ｂと引っ掛け部２１Ｃとで形成されている。受け部２１Ａは、軒どい１１を受け止めるものであり、このために、軒どい１１と同じように湾曲している。首部２１Ｂは、受け部２１Ａを支えるために、その一端が受け部２１Ａに取り付けられている。また、首部２１Ｂの他端は屋根２０１の軒先などに取り付けられる。引っ掛け部２１Ｃは、Ｌ字状に加工され、受け部２１Ａの両方の縁に設けられている。引っ掛け部２１Ｃは、軒どい１１を受け部２１Ａに固定する。
【００４１】
集水器１２は軒どい１１に設けられ、かつ、竪どい１３の一端に取り付けられている。集水器１２は、軒どい１１を流れてきた雨水などを竪どい１３に流す。
【００４２】
竪どい１３は、図５に示すように、集水器１２からの雨水などを筒状の内側に流す。竪どい１３の外周面１３Ａには、光ケーブル１１１を保持して固定するために、複数の固定具３１が離されて設けられている。竪どい１３と固定具３１とは、合成樹脂の成型によって一体で作られている。
【００４３】
固定具３１が設けられている竪どい１３は、つかみ具２２によってつかまれ、建物２００の外壁に固定されている。つかみ具２２は、つかみ部２２Ａと首部２２Ｂとで形成されている。つかみ部２２Ａは、竪どい１３をつかむものであり、このために、竪どい１３と同じように円形をし、かつ、ピン２２Ｃによって開閉可能である。首部２２Ｂは、つかみ部２２Ａを一端で支える。また、首部２２Ｂの他端は建物２００の外壁に取り付けられる。
【００４４】
以上の軒どい１１、集水器１２、および竪どい１３は、この実施の形態では建物２００の２階部分に設置されている。同様に、１階部分の屋根２０２からの雨水などを導いて地面側に流すために、軒どい１４、集水器１５、および竪どい１６が設置され、軒どい１４および竪どい１６には複数の固定具３１が離されて設けられている。
【００４５】
この実施の形態によるケーブル敷設用雨どいは以上の構成である。つぎに、ケーブル敷設用固定具３１が設けられているケーブル敷設用雨どいを用いたケーブル敷設方法について説明する。建物２００の２階に取り付けられている引き留め部３０１で引き留められた光ケーブル１１１を、引き込み部３０２まで作業者が敷設する場合、この作業者は、引き留め部３０１から引き込み部３０２の間に位置する、軒どい１１の固定具３１の保持部３１Ａに光ケーブル１１１を通す。このとき、作業者は、保持部３１ＡのＣ字状の開口部分３１Ａ1から光ケーブル１１１を入れる。引き留め部３０１の上方に位置する最初の固定具３１から、引き込み部３０２の上方に位置する最後の固定具３１まで光ケーブル１１１を通した後、作業者は、各固定具３１の貫通孔３１Ｃに針金等を通して、光ケーブル１１１を固定具３１に固定する。そして、作業者は、最後の固定具３１を通した光ケーブル１１１を引き込み部３０２に導く。こうして、光ケーブル１１１が引き留め部３０１から引き込み部３０２まで敷設される。
【００４６】
また、引き込み部３０２が１階側の外壁に設けられている場合には、作業者は、引き留め部３０１から集水器１２の間に位置する、軒どい１１の固定具３１の保持部３１Ａに光ケーブル１１１を通す。また、集水器１２から集水器１５の間に位置する、竪どい１３に設けられている固定具３１の保持部３１Ａに光ケーブル１１１を通す。さらに、集水器１５から引き込み部３０２の間に位置する、軒どい１４の固定具３１の保持部３１Ａに光ケーブル１１１を通す。この後、作業者は、各固定具３１の貫通孔３１Ｃに針金等を通して、光ケーブル１１１を固定具３１に固定する。そして、作業者は、最後の固定具３１を通した光ケーブル１１１を引き込み部３０２に導く。こうして、光ケーブル１１１は、２階側の引き留め部３０１から、１階側の引き込み部３０２まで敷設される。
【００４７】
さらに、光ケーブル１１１を敷設する際に、軒どい１１と軒どい１１とが交差している場合に、図６に示すように、軒どい１１と軒どい１１との間が曲がり部１４で接合されているときには、固定具３１が離されて設けられているので、光ケーブル１１１に対して負担がかからない曲げ半径、つまり適切な曲げ半径を確保することができる。また、光ケーブル１１１を１階に敷設する際に、１階側では軒どい１４の間に集水器１５が設けられ、かつ、２階側の竪どい１３が集水器１５に入り込んでいるが、軒どい１４に固定具３１が離されて設けられているので、竪どい１３および集水器１５に光ケーブル１１１をかけ渡すことができ、かつ、光ケーブル１１１に対して負担がかからない曲げ半径、つまり適切な曲げ半径を確保することができる。
【００４８】
ところで、後日、軒どい１１、１４や竪どい１３、１６の破損などにより、その一部を交換する場合、作業者は、破損部分の固定具３１の貫通孔３１Ｃを通している針金等を切断し、保持部３１Ａの開口部分３１Ａ1から光ケーブル１１１を取り出し、破損部分を交換する。この後、作業者は、保持部３１Ａの開口部分３１Ａ1から光ケーブル１１１を入れ、固定具３１の貫通孔３１Ｃに針金等を通して、光ケーブル１１１を固定具３１に固定する。つまり、この実施の形態によれば、軒どい１１、１４や竪どい１３、１６が破損しても、光ケーブル１１１を切断することなく、破損部分だけを簡単に交換可能にする。
【００４９】
この実施の形態により、光ケーブル１１１を引き込み部３０２まで配線する、外壁利用の配線工事を不要にすることができ、かつ、光ケーブル１１１を建物２００の外壁に配線する必要がないので、建物２００の美観を保つことができる。また、この実施の形態により、光ケーブル１１１を敷設する際に、固定具３１の保持部３１Ａに光ケーブル１１１を通し、この後、固定具３１の貫通孔３１Ｃに針金等を通して固定するだけであるので、従来の配線工事、つまり、固定具３０３（図１１）を光ケーブル１１１に通し、固定具３０３を取り付けるための孔を外壁に設け、固定具３０３をネジなどで固定するという作業に比べて、作業性を向上させることができる。
【００５０】
なお、この実施の形態では、軒どい１１の一方の縁に固定具３１を設けたが、軒どい１１の他方の縁に固定具３１を設けてもよい。また、軒どい１１の外周面に固定具３１を設けてもよい。
（実施の形態２）
この実施の形態では、雨どいを建物２００に取り付ける雨どい取り付け具を用いて、引き留め部３０１で引き留められた光ケーブル１１１を引き込み部３０２まで敷設する。雨どいは実施の形態１と同じであるので、この実施の形態の説明では、同一の参照符号を付けてその説明を省略する。この実施の形態では、実施の形態１の雨どい取り付け具の代わりに、ケーブル敷設用雨どい取り付け具を用いる。ケーブル敷設用雨どい取り付け具には、ケーブル敷設用受け具とケーブル敷設用つかみ具とがある。
【００５１】
ケーブル敷設用受け具は、図８に示すように、先に説明した受け具２１（図４）の首部２１Ｂに、同じく先に説明した固定具３１（図３）を設けたものである。このとき、固定具３１の長手方向が首部２２Ｂの長手方向に対して交差するように、受け具２１に固定具３１が配置されている。
【００５２】
ケーブル敷設用つかみ具は、図９に示すように、先に説明したつかみ具２２（図５）の首部２２Ｂに、同じく先に説明した固定具３１（図３）を設けたものである。このとき、固定具３１の長手方向が首部２２Ｂの長手方向に対して上下方向に交差するように、つかみ具２２に固定具３１が配置されている。
【００５３】
こうしたケーブル敷設用受け具とケーブル敷設用つかみ具とを用いても、実施の形態１と同様に光ケーブル１１１を敷設することができる。そして、光ケーブル１１１の敷設の際に余分な配線工事を不要にし、また、建物の美観を損なうことを防ぐことができる。
【００５４】
なお、この実施の形態では、ケーブル敷設用受け具の首部２１Ｂに固定具３１を設けたが、受け部２１Ａの縁に固定具３１を設けてもよく、また、受け部２１Ａの外周面に固定具３１を設けてもよい。また、この実施の形態では、ケーブル敷設用つかみ具の首部２２Ｂに固定具３１を設けたが、固定具３１は、つかみ部２２Ａの外周面に設けてもよい。
【００５５】
以上、この発明の実施形態１、２を詳述してきたが、具体的な構成は各実施形態に限られるものではなく、この発明の要旨を逸脱しない範囲の設計の変更等があっても、この発明に含まれる。たとえば、各実施の形態では、光ケーブルの敷設について説明したが、この発明は他にアンテナのケーブル、電力ケーブル、電話線などの各種のケーブルにも適用可能である。
【００５６】
各実施の形態では、軒どい１１、１４、竪どい１３、１６に対して固定具３１を一体で設けたが、固定具３１を別体で作り、さらに、この固定具３１の台部３１Ｂの先端をＬ字状やＴ字状に加工し、この先端に接着剤等を用いて、台部３１Ｂを軒どい１１、１４、竪どい１３、１６に固定してもよい。受け具２１、つかみ具２２についても同様である。これにより、既存の軒どい、竪どい、受け具、つかみ具を利用可能にすることができ、また、建物に既に設置されている軒どい、竪どい、受け具、つかみ具も利用可能にすることができる。さらに、必要に応じて必要な箇所にのみ固定具を配設することができ、これにより、ケーブルの敷設場所や敷設状況などに応じた適切かつ迅速な敷設が可能となる。
【００５７】
また、図１０（ａ）に示すように、Ｓ字状になるように保持部３１Ａを軒どい１１に配置し、台部３１Ｂにより保持部３１Ａの縁を軒どい１１の縁に一体または別体で取り付けてもよい。また、図１０（ｂ）に示すように、軒どい１１の外周面に対して、保持部３１Ａを軒どい１１と背中合わせに配置し、台部３１Ｂにより保持部３１Ａを軒どい１１に一体または別体で取り付けてもよい。軒どい１４や竪どい１３、１６についても同様である。
【００５８】
各実施の形態では、軒どいの断面形状が半円形であり、竪どいの断面形状が円形であったが、この発明は、他の形状として角形など各種の形状のものに適用が可能である。また、固定具３１の貫通孔３１Ｃの数も各実施の形態に限定されることはない。
【図面の簡単な説明】
【００５９】
【図１】この発明の実施の形態１を説明する説明図である。
【図２】軒どいを示す斜視図である。
【図３】固定具を拡大した様子を示す斜視図である。
【図４】図２のＩ−Ｉ断面を示す断面図である。
【図５】竪どいを拡大した様子を示す斜視図である。
【図６】光ケーブルの敷設の例を示す斜視図である。
【図７】光ケーブルの敷設の例を示す斜視図である。
【図８】この発明の実施の形態２に用いられるケーブル敷設用受け具を示す斜視図である。
【図９】この発明の実施の形態２に用いられるケーブル敷設用つかみ具を示す斜視図である。
【図１０】実施の形態１、２の変形例を示す断面図であり、図１０（ａ）は一変形例を示し、図１０（ｂ）は他の変形例を示す。
【図１１】従来の光ケーブル敷設方法を説明する説明図である。
【符号の説明】
【００６０】
１１、１４  軒どい（雨どい）
１１Ａ  溝
１２、１５  集水器
１３、１６  竪どい（雨どい）
１３Ａ  外周面
１４  曲がり部
２１  受け具（雨どい取り付け具）
２１Ａ  受け部
２１Ｂ  首部
２１Ｃ  引っ掛け部
２２  つかみ具（雨どい取り付け具）
２２Ａ  つかみ部
２２Ｂ  首部
２２Ｃ  ピン
３１  固定具（ケーブル敷設用固定具）
３１Ａ  保持部
３１Ａ1  開口部分
３１Ｂ  台部
３１Ｃ  貫通孔
１１１  光ケーブル
２００  建物
２０1、２０２  屋根
３０１  引き留め部
３０２  引き込み部
【図１】
2006320117.tif 000003
【図２】
2006320117.tif 000004
【図３】
2006320117.tif 000005
【図４】
2006320117.tif 000006
【図５】
2006320117.tif 000007
【図６】
2006320117.tif 000008
【図７】
2006320117.tif 000009
【図８】
2006320117.tif 000010
【図９】
2006320117.tif 000011
【図１０】
2006320117.tif 000012
【図１１】
2006320117.tif 000013